(57)【要約】【課題】  送電鉄塔などの被保護設備にある直線部分に限らず、曲線部分や凹凸部分にも自在に取付けることのできる鳥害防止装置を提供。【解決手段】  短冊形の平板状突起基体２１の表面の両端部に所定間隔で一対の防鳥用針状突起２２を突設した防鳥モジュール２０を備えた鳥害防止装置であり、この防鳥モジュール２０を手動で変形可能な可撓性支持杆１１の任意の箇所に帯状締付具３０で取付ける。鳥害防止装置を設置される多種多様な被保護設備に応じて支持杆１１を直線状、曲線状、円形などと適宜に変形させ、支持杆１１に取付ける防鳥モジュール２０の数、取付位置を決めることで、多種多様な被保護設備のそれぞれに適合した鳥害防止装置として使用する。【選択図】図１
2005341930.tif 000002
【特許請求の範囲】
【請求項１】
平板状の突起基体と、この突起基体の片面に定間隔で一列に突設した複数の防鳥用針状突起を有することを特徴とする防鳥モジュール。
【請求項２】
請求項１の防鳥モジュールの突起基体を可撓性支持杆の外周の任意箇所に、前記複数の針状突起の配列方向を支持杆の軸方向と略平行にして、支持杆に巻き締めした帯状締付具で着脱可能に固着したことを特徴とする鳥害防止装置。
【請求項３】
前記支持杆外周の周方向複数箇所に複数の防鳥モジュールを共通の帯状締付具で取付けたことを特徴とする請求項２に記載の鳥害防止装置。
【請求項４】
前記支持杆外周の支持杆軸方向複数箇所に複数の防鳥モジュールをそれぞれに帯状締付具で取付けたことを特徴とする請求項２に記載の鳥害防止装置。
【請求項５】
前記支持杆の端部同士を連結具で同軸状に連結したことを特徴とする請求項２に記載の鳥害防止装置。
【請求項６】
前記支持杆を変形自在な状態で着脱可能に保持する保持部と、この保持部から延在する脚部と、この脚部の先端に固定された固定部を有する固定装置を具備し、前記固定部を対応する被保護設備に着脱可能に取付けることを特徴とする請求項２に記載の鳥害防止装置。
【請求項７】
前記固定部は、前記被保護設備に吸着する永久磁石を一体に有することを特徴とする請求項６に記載の鳥害防止装置。
【請求項８】
前記固定部は、前記被保護設備に着脱可能に固定する止め具を別体に有することを特徴とする請求項６に記載の鳥害防止装置。
【発明の詳細な説明】
【技術分野】
【０００１】
本発明は、変電設備や送配電設備などの各種の被保護設備に設置される鳥害防止装置に関する。
【背景技術】
【０００２】
送電用鉄塔や配電用支持柱などの被保護設備に設置される鳥害防止装置は、鳥の留まりや営巣の邪魔をする多数本の針状突起を配列したものが一般的である。例えば、電柱上部の腕金上に設置した水平な枠体上に多数本の針状突起を真上に向けて配列した鳥害防止装置（特許文献１参照）や、電柱上部の腕金上に設置した水平な直管に多数本の針状突起を上方に放射状に配列した鳥害防止装置（特許文献２参照）が知られている。
【０００３】
前者鳥害防止装置は、例えば図１３に示すような平坦な格子状平枠体１上に格子状配列で多数本の針状突起２を一体に突設した樹脂製の鳥害防止具３を備える。この鳥害防止具３は、平枠体１を図示しない専用の固定金具を使って電柱上部の腕金上に水平に取付けて使用される。後者鳥害防止装置は、例えば図１４（Ａ）に示すような直管（支持杆部）４に複数の鳥害防止具５を着脱可能に取付けた構造である。図１４（Ｂ）に１つの鳥害防止具５を示すと、これはパイプ状ベース６の外周に３本の針状突起７を放射状に突設したもので、ベース６を直管４に嵌挿して任意の位置でボルト止めする。１本の直管４に任意の複数の鳥害防止具５を嵌挿することで、多様な形態の鳥害防止装置が構成される。
【特許文献１】特開平１１−２８９６４４号公報（図５）
【特許文献２】特開２００１−２０４３６１号公報（図４）
【発明の開示】
【発明が解決しようとする課題】
【０００４】
図１３の鳥害防止装置は、必要に応じて樹脂製の鳥害防止具の平枠体を切断することで長さ調整して、電柱の腕金上に取付けるようにしているが、平枠体が平坦な直線状枠であるために電力用の大型変圧器や遮断器のブッシングのような凹凸部分や、ブッシング周りの円形部分に取付けることが難しく、汎用性に欠ける。なお、平枠体を短く切断した短い複数の鳥害防止具をブッシング周りの円形部分に多角形状に配列することができるが、短い複数の鳥害防止具をそれぞれに専用の固定金具を使って取付けるために取付作業性が悪く、送電鉄塔のような高所での作業には不適であると共に、限られた停電時間内に作業が完了しない。
【０００５】
また、図１４の鳥害防止装置は、１本の直管に嵌挿する鳥害防止具の数、取付位置の選択で多種多様な鳥害防止装置とすることができるが、直管を使用するために電柱の腕金上のような直線部分にしか良好に取付けることができず、図１３の鳥害防止装置と同様に汎用性に欠ける。
【０００６】
本発明は、斯かる実情に鑑みてなされたもので、被保護設備の直線部分に限らず曲線部分、凹凸部分にも自在に取付けることのできる汎用性に優れた鳥害防止装置を提供することを目的とする。
【課題を解決するための手段】
【０００７】
本発明は、平板状の突起基体と、この突起基体の片面に定間隔で一列に突設した複数の防鳥用針状突起を有する防鳥モジュールを使用する。この防鳥モジュールの突起基体は短冊形の絶縁性平板で、その長手方向で一列に複数の針状突起が突起基体と一体にして突設される。針状突起は、先端を鋭角に加工した棒体を含み、少なくとも短冊形突起基体の両端部表面に同一長さ、または、異なる長さの一対が突設される。突起基体と針状突起を樹脂で一体成形することが、防鳥モジュールを量産性よく安価に製造する上で望ましい。
【０００８】
また、本発明は上記目的を達成するため、上記防鳥モジュールの突起基体を可撓性支持杆の外周の任意箇所に、複数の針状突起の配列方向を支持杆の軸方向と略平行にして、支持杆に巻き締めした帯状締付具で着脱可能に固着したことを特徴とする。
【０００９】
ここで、可撓性支持杆は、作業員の手で自在に変形させることができる絶縁性配管（フレキシブルパイプ）、フレキシブル中実円形棒が適用できる。この支持杆は、所定の長さで量産され、使用に際して所望の長さに切断して調整できるものが望ましい。また、支持杆は、塑性変形するもの、あるいは、弾性変形するものが適用できる。この支持杆に単数、あるいは、複数の防鳥モジュールを帯状締付具で着脱可能に取付けて、１つの鳥害防止装置を構成する。帯状締付具は締付バンドなどで、支持杆に巻回することで防鳥モジュールの突起基体を支持杆外周に締結して、支持杆外周から放射状に針状突起を突出させる。防鳥モジュールを取付けた可撓性支持杆を、鳥害防止装置が取付けられる被保護設備の形状、構造に適合するように変形させることで、被保護設備の凹凸部分や曲線部分、直線部分といった様々な形状の部所に取付けることができるようになり、様々な形状、種類の被保護設備に対応性よく鳥害防止装置を取付けることができる。
【００１０】
本発明においては、支持杆外周の周方向複数箇所に複数の防鳥モジュールを共通の帯状締付具で取付けることができる。さらに、支持杆外周の支持杆軸方向複数箇所に複数の防鳥モジュールをそれぞれに帯状締付具で取付けることができる。
【００１１】
このように１つの支持杆の外周に周方向および／または軸方向に複数の防鳥モジュールを取付けることで、支持杆外周に多数の針状突起を突設した、したがって鳥害防止効果、実用価値に優れた構造とすることができる。また、支持杆の外周に装着する防鳥モジュールの数、取付位置が自在に選択でき、この選択で針状突起による鳥害防止形態が多様に選択でき、多様な被保護設備に設置できる汎用性に優れた構造とすることができる。
【００１２】
また、本発明においては、支持杆の端部同士を連結具で同軸状にして着脱可能に連結することができる。この場合の連結具は、両端開口のパイプ部品で、その両端開口に支持杆の端部が挿脱可能に嵌着されるものが適用できる。１本の支持杆を円形に曲げてその両端部を１個の連結具に嵌挿して連結することで、円形の鳥害防止装置となる。また、２本の支持杆の片端部同士を１個の連結具で連結することで、２本の支持杆を一体化した長尺な鳥害防止装置となる。複数本の支持杆を、直線状や蛇行状に連結するほか、円形や楕円形に連結することもできる。複数本の支持杆を連結する場合、全支持杆に防鳥モジュールを取付けるほか、選択された支持杆のみに防鳥モジュールを取付けて、他の支持杆を連結専用杆として利用することができる。
【００１３】
また、本発明においては、支持杆を変形自在な状態で着脱可能に保持する保持部と、この保持部から延在する脚部と、この脚部の先端に固定された固定部とを有する固定装置を備えた構造とすることができる。この固定装置の固定部は、被保護設備に吸着する永久磁石を一体に有する構造、または、被保護設備に着脱可能に固定する止め具を別体に有する構造とすることができる。
【００１４】
ここでの固定装置は、防鳥モジュールを備えた支持杆を被保護設備に着脱可能に取付けるための装置で、これの保持部は、支持杆が軸方向から挿脱可能に嵌挿されるパイプ部品や、支持杆を弾圧挟持するチャック部品が適用できる。この保持部と固定部を連結する脚部は、固定部と保持部を一定の距離で離隔させ、このように固定部と保持部を離隔させることで保持部に支持杆を取付ける作業、および、固定部を被保護設備に固定する作業が容易になって、高所で鳥害防止装置を取付ける作業が容易になり、限られた停電時間内に作業を完了させることができるようになる。
【発明の効果】
【００１５】
本発明によれば、平板状の突起基体に針状突起を突設した防鳥モジュールは、形状簡単で安価な樹脂成形品とすることができる。また、防鳥モジュールを備えた可撓性支持杆を被保護設備の形状に対応した適宜な形状に変形させることで、直線部分に限らず、凹凸部分や円弧部分、円形部分のいずれにも適合させて装着できる汎用性、実用価値に優れた鳥害防止装置が提供できる。さらに、可撓性支持杆を被保護設備に対応させて取付け易い形状にすることで、取付作業性が良くなり、特に送電用鉄塔などの高所の被保護設備において、より安全な取付作業ができるようになる。
【発明を実施するための最良の形態】
【００１６】
以下、本発明の実施の形態を図１〜図１２を参照して説明する。
【００１７】
図１および図２に示す鳥害防止装置１０は、円環状の可撓性支持杆１１の外周に複数の防鳥モジュール２０を帯状締付具３０で固定した構造である。複数の防鳥モジュール２０は同一形状で、その具体例を図３に示す。
【００１８】
図３の防鳥モジュール２０は、短冊形の平板状突起基体２１の表面の両端部に所定間隔で一対の防鳥用針状突起２２を突設した絶縁部材である。突起基体２１は板厚方向に可撓性を有する平板が望ましいが、硬質板でも有効である。針状突起２２は、鳥の留まりを邪魔する長さの先鋭棒状体である。この防鳥モジュール２０は樹脂成形品とすることができ、その場合、針状突起２２を中空針構造にすることもできる。
【００１９】
防鳥モジュール２０は、単品を被保護設備に直接に取付けて鳥害防止装置として使用することができる。また、図１に示すように１本の可撓性支持杆１１に複数の防鳥モジュール２０を取付けて、鳥害防止装置１０を構築する。支持杆１１は、軟質樹脂のパイプ部品が製造単価が安く、取り扱いが容易であることから望ましい。支持杆１１は、図１の鎖線と実線に示すように手動で自在に変形可能な可撓性を有する。支持杆１１の外周に複数の防鳥モジュール２０が帯状締付具３０で取付けられる。締付具３０は、例えば図２に示すように両端にオス型とメス型のワンタッチ式バックル３１、３２を有する締付バンドである。この締付バンドは、若干の弾性を有する伸縮バンドが適用できる。
【００２０】
１つの防鳥モジュール２０は支持杆１１の外周の任意の位置に、短冊形突起基体２１の長手方向を支持杆１１の軸方向に平行にして取付けられる。締付具３０は支持杆１１に巻き付けられて、防鳥モジュール２０の突起基体２１を支持杆１１に締め付け固定する。支持杆１１の両端部に複数、例えば３つずつ防鳥モジュール２０が共通の締付具３０で取付けられる。支持杆１１の片端部外周の周方向に３つの防鳥モジュール２０の突起基体２１を互いに平行に並べ、それぞれの突起基体２１の中央部に共通の帯状締付具３０を直交させ、締付具３０を支持杆１１の外周に締め付けることで、３つの防鳥モジュール２０を支持杆１１に固定する。支持杆１１に対して３つの防鳥モジュール２０の針状突起２２は、図２に示すように放射状に突出して、防鳥機能を発揮する。支持杆１１の他の片端部の３つの防鳥モジュール２０も同様にして取付けられて、支持杆１１の両端部で防鳥機能を発揮する。支持杆１１の外周に共通の締付具３０で取付けられた３つの防鳥モジュール２０は、締付具３０を緩めることで周方向の移動がなされて、隣接する防鳥モジュール２０の間隔調整が行われ、隣接する防鳥モジュール２０の針状突起２２のなす角度θ１、θ２が調整される。また、締付具３０を緩めることで支持杆１１の軸方向の移動も自在に行われる。このような移動と支持杆１１の変形で、被保護設備に対応した適宜な防鳥形態が選択される。
【００２１】
次に、図１の鳥害防止装置１０の各種用途例を、図４〜図１２に基づき説明する。
【００２２】
図４は支持杆１１を直管状にして使用する例を示し、この鳥害防止装置１０は被保護設備の直線部分に取り付けられる。この場合、支持杆１１の両端開口を止栓１２で閉塞しておくことが、耐久性を良くするなどの理由で望ましい。
【００２３】
図１と図４の鳥害防止装置１０は、直接に被保護設備に取付けることができるが、被保護設備によっては、例えば図５〜図８に示すような固定装置４０を使って被保護設備に取付けることができる。
【００２４】
図５の固定装置４０は、支持杆１１の全体の変形を容易にして支持杆１１の一部を着脱自在に保持する保持部４１と、保持部４１から延在する脚部４２と、脚部４２の先端に固定した固定部４３ａで構成され、固定部４３ａに永久磁石４４を固定している。保持部４１は支持杆１１の外周一部が嵌挿されるパイプ部品、あるいは、支持杆１１の外周一部を両側方から挟持する開閉式チャック部品で、これの中央から半径方向に脚部４２が一体に延在する。固定部４３ａはベース板で、裏面に平板状の永久磁石４４を固定して一体化している。図５の鎖線で示すように保持部４１に鳥害防止装置１０を取付けて、固定部４３ａの永久磁石４４を被保護設備Ａに磁気吸着させる。被保護設備Ａは、電柱上部の腕金などの鋼材部分で、その任意の箇所に永久磁石４４を吸着させることで、被保護設備Ａの所望の箇所に鳥害防止装置１０が設置される。
【００２５】
図５の固定装置４０の場合、被保護設備Ａから鳥害防止装置１０が脚部４２の長さに応じた距離で離隔しているので、鳥害防止装置１０が変形できる空間が広く設定できて、より多様な変形が可能となり、被保護設備Ａに対応した適宜な変形ができる。このことは、図６〜図８の固定装置においても同様である。
【００２６】
図６の固定装置４０は、その固定部４３ｂを別体の止め具、例えばＣ型コネクタ４５で被保護設備Ｂに固定するようにしている。この場合の被保護設備Ｂは、鉄塔などのＬ型アングルで、このアングルの任意の箇所に固定部４３ｂがＣ型コネクタ４５で固定される。
【００２７】
図７の固定装置４０は、その固定部４３ｃを別体の止め具、例えばボルト４６ａとナット４６ｂで被保護設備Ｃに締結するようにしている。
【００２８】
図８の固定装置４０は、その固定部４３ｄを別体の止め具、例えば取付バンド４７で被保護設備Ｄに締め付けて固定するようにしている。
【００２９】
図９及び図１０に示す実施の形態は、長尺な支持杆１１を円形に屈曲させて、両端部を連結具５０で同軸に連結した円形の鳥害防止装置１０である。円形の支持杆１１の必要箇所に防鳥モジュール２０と固定装置４０が取付けられる。このような円形の鳥害防止装置１０は、例えば図１１に示すようなブッシング６０の周りに設置することができる。ブッシング６０は、電力用の大型変圧器や遮断器のブッシングである。塩害の顕著なブッシングにおいてはコンピール塗布を実施しているが、コンピール表面に付着した虫を鳥が餌として啄むために、コンピールが剥がれて絶縁性能の劣化が発生する。そこで、図１１のようにブッシング６０の周りに円形の鳥害防止装置１０を設置することで、効果的な防鳥対策を実施することができる。
【００３０】
図１２に示す実施の形態は、送電鉄塔のアーム部６１に取付けた鳥害防止装置１０を示す。例えば、アーム部６１の２本のＬ型アングル６２、６３がＶ型に連結された部分に同じＶ型に曲げ成形した鳥害防止装置１０を取付ける。アーム部６１のＶ型部分は鳥などの営巣が発生する場所であり、この場所に従来は直線状にしか鳥害防止装置を配置できず、営巣を十分に防止するだけの防鳥機能が得られなかったが、図１２のＶ型鳥害防止装置１０はアーム部６１のＶ型部分に合致した変形が可能なため、十分に営巣を防止する効果的な防鳥機能を発揮する。
【００３１】
なお、本発明の鳥害防止装置は、上記した実施の形態に限定されるものではなく、本発明の要旨を逸脱しない範囲内において種々変更を加え得ることは勿論である。
【図面の簡単な説明】
【００３２】
【図１】本発明に係る鳥害防止装置の実施の形態を示す支持杆変形時の斜視図である。
【図２】図１の装置の端面図である。
【図３】図１の装置における防鳥モジュールの斜視図である。
【図４】図１の装置の他の形態を示す部分断面を含む斜視図である。
【図５】図１の装置に使用される固定装置の概要を示す正面図である。
【図６】他の固定装置の概要を示す正面図である。
【図７】さらに他の固定装置の概要を示す正面図である。
【図８】さらに他の固定装置の概要を示す正面図である。
【図９】本発明の他の実施の形態を示す平面図である。
【図１０】図９の装置の正面図である。
【図１１】変圧器などのブッシングに取付けたときの斜視図である。
【図１２】送電鉄塔に取付けたときの斜視図である。
【図１３】従来の鳥害防止装置を示す斜視図である。
【図１４】他の従来の鳥害防止装置を示す斜視図である。
【符号の説明】
【００３３】
１０    鳥害防止装置
１１    可撓性支持杆
１２    止栓
２０    防鳥モジュール
２１    平板状突起基体
２２    針状突起
３０    帯状締付具
４０    固定装置
４１    保持部
４２    脚部
４３ａ〜４３ｄ    固定部
４４    永久磁石
４５    止め具、Ｃ型コネクタ
４６ａ    止め具、ボルト
４６ｂ    止め具、ナット
４７    止め具、取付バンド
５０    連結具
６０    ブッシング
６１    アーム部
Ａ〜Ｄ    被保護設備
【図１】
2005341930.tif 000003
【図２】
2005341930.tif 000004
【図３】
2005341930.tif 000005
【図４】
2005341930.tif 000006
【図５】
2005341930.tif 000007
【図６】
2005341930.tif 000008
【図７】
2005341930.tif 000009
【図８】
2005341930.tif 000010
【図９】
2005341930.tif 000011
【図１０】
2005341930.tif 000012
【図１１】
2005341930.tif 000013
【図１２】
2005341930.tif 000014
【図１３】
2005341930.tif 000015
【図１４】
2005341930.tif 000016